【手続補正書】
【提出日】平成25年7月23日(2013.7.23)
【手続補正１】
【補正対象書類名】明細書
【補正対象項目名】発明の名称
【補正方法】変更
【補正の内容】
【発明の名称】撮像装置及びその制御方法、並びにカメラシステム及びその制御方法
【手続補正２】
【補正対象書類名】明細書
【補正対象項目名】０００１
【補正方法】変更
【補正の内容】
【０００１】
本発明は、複数の発光部を備える撮像装置及びその制御方法、並びにカメラシステム及びその制御方法に関する。
【手続補正３】
【補正対象書類名】明細書
【補正対象項目名】００１３
【補正方法】変更
【補正の内容】
【００１３】
そこで、本発明は、調光センサ等の測光センサを必要とせず、逆光時の日中シンクロ撮影などの撮影条件において適正輝度が得られ、近距離からの調光精度向上と、遠距離での調光範囲拡大が可能な撮像装置及びその制御方法、並びにカメラシステム及びその制御方法を提供することを目的とする。
【手続補正４】
【補正対象書類名】明細書
【補正対象項目名】００１４
【補正方法】変更
【補正の内容】
【００１４】
上記目的を達成するために、本発明の撮像装置は、放電制御型の閃光を発光する第１の発光部及び前記第１の発光部に必要な電力を充電する第１の充電部を制御する第１の充電発光制御部と、電流制御型の連続光を発光する第２の発光部及び前記第２の発光部に必要な電力を充電する第２の充電部を制御する第２の充電発光制御部と、を備える撮像装置であって、前記第２の充電部への充電を停止した状態で前記第２の充電部に充電された電力を用いて前記第２の発光部による予備発光を行うように前記第２の充電発光制御部を制御する予備発光制御手段と、本露光時に必要な前記第２の発光部による本発光時間を前記予備発光で発した光の被写体からの反射光量に基づき算出するとともに、前記予備発光後に前記第２の充電部に充電されている電力を用いて前記第２の発光部を発光制御することが可能な発光制御可能時間を算出する演算手段と、前記本発光時間が前記発光制御可能時間を超えている場合は、前記第１の充電部に充電された電力を用いて前記第１の発光部による本発光を行うように前記第１の充電発光制御部を制御し、前記本発光時間が前記発光制御可能時間を超えていない場合は、前記第２の充電部に充電された電力を用いて前記第２の発光部による本発光を行うように前記第２の充電発光制御部を制御する切替手段と、を備えることを特徴とする。
【手続補正５】
【補正対象書類名】特許請求の範囲
【補正対象項目名】全文
【補正方法】変更
【補正の内容】
【特許請求の範囲】
【請求項１】
放電制御型の閃光を発光する第１の発光部及び前記第１の発光部に必要な電力を充電する第１の充電部を制御する第１の充電発光制御部と、電流制御型の連続光を発光する第２の発光部及び前記第２の発光部に必要な電力を充電する第２の充電部を制御する第２の充電発光制御部と、を備える撮像装置であって、
前記第２の充電部への充電を停止した状態で前記第２の充電部に充電された電力を用いて前記第２の発光部による予備発光を行うように前記第２の充電発光制御部を制御する予備発光制御手段と、
本露光時に必要な前記第２の発光部による本発光時間を前記予備発光で発した光の被写体からの反射光量に基づき算出するとともに、前記予備発光後に前記第２の充電部に充電されている電力を用いて前記第２の発光部を発光制御することが可能な発光制御可能時間を算出する演算手段と、
前記本発光時間が前記発光制御可能時間を超えている場合は、前記第１の充電部に充電された電力を用いて前記第１の発光部による本発光を行うように前記第１の充電発光制御部を制御し、前記本発光時間が前記発光制御可能時間を超えていない場合は、前記第２の充電部に充電された電力を用いて前記第２の発光部による本発光を行うように前記第２の充電発光制御部を制御する切替手段と、を備えることを特徴とする撮像装置。
【請求項２】
前記第２の充電部の電圧値を検出する電圧検出手段を備え、
前記予備発光制御手段は、前記予備発光で発した光の被写体からの反射光の受光信号の積算値が所定値に達するまで前記予備発光を行うように前記第２の充電発光制御部を制御し、
前記演算手段は、前記電圧検出手段による前記予備発光後の前記第２の充電部の検出電圧値に基づき、前記発光制御可能時間を算出する、ことを特徴とする請求項１に記載の撮像装置。
【請求項３】
前記予備発光制御手段は、前記電圧検出手段による前記予備発光前の前記第２の充電部の検出電圧値が所定値以上の場合は、前記第２の充電部への充電を停止した状態で前記第２の充電部に充電された電力を用いて前記第２の発光部による予備発光を行うように前記第２の充電発光制御部を制御し、前記所定値未満の場合は、前記電圧検出手段による前記予備発光前の前記第２の充電部の検出電圧値が前記所定値以上となるまで前記第２の充電部を充電する、ことを特徴とする請求項２に記載の撮像装置。
【請求項４】
シャッタースピードの設定時間と前記第２の発光部による前記本発光時間とを比較する比較手段と、
前記比較手段による比較により、前記シャッタースピードの設定時間が前記本発光時間を超えている場合は、前記第２の発光部の発光制御可能時間の算出を行うように前記演算手段を制御し、前記シャッタースピードの設定時間が前記本発光時間を超えていない場合は、前記第１の充電部に充電された電力を用いて前記第１の発光部による本発光を行うように前記第１の充電発光制御部を制御する制御手段と、を備えることを特徴とする請求項１乃至３のいずれか一項に記載の撮像装置。
【請求項５】
撮像装置と照明装置とを含むカメラシステムであって、
放電制御型の閃光を発光する第１の発光部及び前記第１の発光部に必要な電力を充電する第１の充電部を制御する第１の充電発光制御部と、
電流制御型の連続光を発光する第２の発光部及び前記第２の発光部に必要な電力を充電する第２の充電部を制御する第２の充電発光制御部と、
前記第２の充電部への充電を停止した状態で前記第２の充電部に充電された電力を用いて前記第２の発光部による予備発光を行うように前記第２の充電発光制御部を制御する予備発光制御手段と、
本露光時に必要な前記第２の発光部による本発光時間を前記予備発光で発した光の被写体からの反射光量に基づき算出するとともに、前記予備発光後に前記第２の充電部に充電されている電力を用いて前記第２の発光部を発光制御することが可能な発光制御可能時間を算出する演算手段と、
前記本発光時間が前記発光制御可能時間を超えている場合は、前記第１の充電部に充電された電力を用いて前記第１の発光部による本発光を行うように前記第１の充電発光制御部を制御し、前記本発光時間が前記発光制御可能時間を超えていない場合は、前記第２の充電部に充電された電力を用いて前記第２の発光部による本発光を行うように前記第２の充電発光制御部を制御する切替手段と、を備えることを特徴とするカメラシステム。
【請求項６】
前記撮像装置は、前記第２の発光部を備え、前記照明装置は前記第１の発光部を備えることを特徴とする請求項５に記載のカメラシステム。
【請求項７】
放電制御型の閃光を発光する第１の発光部及び前記第１の発光部に必要な電力を充電する第１の充電部を制御する第１の充電発光制御部と、電流制御型の連続光を発光する第２の発光部及び前記第２の発光部に必要な電力を充電する第２の充電部を制御する第２の充電発光制御部と、を備える撮像装置の制御方法であって、
前記第２の充電部への充電を停止した状態で前記第２の充電部に充電された電力を用いて前記第２の発光部による予備発光を行うように前記第２の充電発光制御部を制御する予備発光制御ステップと、
本露光時に必要な前記第２の発光部による本発光時間を前記予備発光で発した光の被写体からの反射光量に基づき算出するとともに、前記予備発光後に前記第２の充電部に充電されている電力を用いて前記第２の発光部を発光制御することが可能な発光制御可能時間を算出する演算ステップと、
前記本発光時間が前記発光制御可能時間を超えている場合は、前記第１の充電部に充電された電力を用いて前記第１の発光部による本発光を行うように前記第１の充電発光制御部を制御し、前記本発光時間が前記発光制御可能時間を超えていない場合は、前記第２の充電部に充電された電力を用いて前記第２の発光部による本発光を行うように前記第２の充電発光制御部を制御する切替ステップと、を備えることを特徴とする撮像装置の制御方法。
【請求項８】
撮像装置と照明装置とを含み、放電制御型の閃光を発光する第１の発光部及び前記第１の発光部に必要な電力を充電する第１の充電部を制御する第１の充電発光制御部と、電流制御型の連続光を発光する第２の発光部及び前記第２の発光部に必要な電力を充電する第２の充電部を制御する第２の充電発光制御部と、を備えるカメラシステムの制御方法であって、
前記第２の充電部への充電を停止した状態で前記第２の充電部に充電された電力を用いて前記第２の発光部による予備発光を行うように前記第２の充電発光制御部を制御する予備発光制御ステップと、
本露光時に必要な前記第２の発光部による本発光時間を前記予備発光で発した光の被写体からの反射光量に基づき算出するとともに、前記予備発光後に前記第２の充電部に充電されている電力を用いて前記第２の発光部を発光制御することが可能な発光制御可能時間を算出する演算ステップと、
前記本発光時間が前記発光制御可能時間を超えている場合は、前記第１の充電部に充電された電力を用いて前記第１の発光部による本発光を行うように前記第１の充電発光制御部を制御し、前記本発光時間が前記発光制御可能時間を超えていない場合は、前記第２の充電部に充電された電力を用いて前記第２の発光部による本発光を行うように前記第２の充電発光制御部を制御する切替ステップと、を備えることを特徴とするカメラシステムの制御方法。